(57)【要約】      （修正有）【課題】自重で復元可能なエクササイズ器具を提供する。【解決手段】自重で復元可能なエクササイズ器具Ａは、載置架部１０と、高さ調整可能な座部２０と、リクライニング背もたれ部３０と、フロント昇降用リンク棒と、リア昇降用リンク棒５０と、リンク棒とを含む。エクササイズ器具は、部品の自重と、リンク連動構造が元に位置に戻るとき及び動作するときの抵抗力とを利用するので、復元力のある弾性ユニットを設置しなくてもよく、且つ抵抗力と復元力を様々な使用者に合わせて調整することができる。また、弾性ユニットを設置する必要がないので、弾性ユニットの弾性力がなくなる問題を避けるとともに、耐久性を向上させることができる。即ち、腰・腹筋の鍛え効果を向上させるともに、実用性・進歩性を有している。【選択図】図１
0003190182.tif 000002
【実用新案登録請求の範囲】
【請求項１】
載置架部１０と、高さ調整可能な座部２０と、リクライニング背もたれ部３０と、フロント昇降用リンク棒４０と、２つのリア昇降用リンク棒５０と、リンク棒６０とを含む自重で復元可能なエクササイズ器具Ａにおいて、
載置架部１０は、横方向に延設されたフレーム構造を有しており、
高さ調整可能な座部２０は、上下へ移動可能に載置架部１０に設けられ、前側２１と後側２２を備えており、
リクライニング背もたれ部３０は、高さ調整可能な座部２０の後側に連結され、且つ連結端３１と、突出端３２と、該連結端３１と突出端３２との間にある中間部３３とを備え、該連結端３１は、高さ調整可能な座部２０の後側に連結されていることにより、該リクライニング背もたれ部３０が前後方向へリクライニングするように設けられ、該中間部３３には、背もたれキット３４が設けられており、
フロント昇降用リンク棒４０は、高さ調整可能な座部２０の前側２１と載置架部１０の第一定位置１１との間に配置され、該第一定位置１１が高さ調整可能な座部２０の前側２１の後方と間隔を置いて配置されていることにより、該フロント昇降用リンク棒４０が後方に向って斜め下方へ延設するように設けられており、
２つのリア昇降用リンク棒５０は、高さ調整可能な座部２０の後側２２と載置架部１０の第二定位置１２との間に間隔を置いて配置され、該第二定位置１２が該第一定位置１１の後方と間隔を置いて配置されていることにより、該リア昇降用リンク棒５０が後方に向って斜め下方へ延設するように設けられており、
支持リンク棒６０は、リクライニング背もたれ部３０の中間部３３と載置架部１０の第三定位置１３との間に配置され、該第三定位置１３は、該第一定位置１１と第二定位置１２との間に設けられており、
使用者が力を入れてリクライニング背もたれ部３０を後方へリクライニングさせている過程において、リンク棒６０の上端部を支点とするテコの原理により、該連結端３１が上方へ上昇しながら後方へ移動し、連結端３１に連動されて、高さ調整可能な座部２０も上昇し、
該高さ調整可能な座部２０がフロント及びリア昇降用リンク棒４０、５０に連結され、且つ載置架部１０の上に載置されることにより、四リンク構造のような構造を構成するので、高さ調整可能な座部２０が上昇するときの横置き状態を保つことができ、
高さ調整可能な座部２０が所定の最上位置まで上昇するとき、フロント、リア昇降用リンク棒４０、５０の仰角が増大するが、後方に向って斜め下方へ延設される範囲を超えず、リクライニング背もたれ部３０と高さ調整可能な座部２０との間の挟角が１８０度以上になり、リクライニング背もたれ部３０が後ろへ倒れる状態になり、
使用者が姿勢を座り姿勢に戻すとき、該高さ調整可能な座部２０の自重と、フロント、リア昇降用リンク棒４０、５０が同時に下向きへバックスイングする作用力とにより、自重による復元力が生じることを特徴とする自重で復元可能なエクササイズ器具Ａ。
【請求項２】
該リクライニング背もたれ部３０の中間部３３には更に、上下へスライドさせて高さを調整することができるスライドスリーブ７０が取り付けられ、支持リンク棒６０の前端が該スライドスリーブ７０の後側に連結され、該スライドスリーブ７０の他端には、位置決めボタン７１が形成され、リクライニング背もたれ部３０の中間部３３には、位置決めボタン７１に対応し、且つ上下へ間隔を置いて配置された複数の位置決め穴３６が形成され、該位置決めボタン７１を所定の位置決め穴３６に組み立てることにより、スライドスリーブ７０位置を決めることができ、該スライドスリーブ７０の位置を変えるにより、支持リンク棒６０の支持角を変え、且つリクライニング背もたれ部３０の傾斜角を調整することができることを特徴とする請求項１に記載の自重で復元可能なエクササイズ器具。
【請求項３】
該フロント昇降用リンク棒４０とリア昇降用リンク棒５０との間は、相互に平行に配置されているか、或いは、角度差があるように非平行に配置されていることを特徴とする請求項１に記載の自重で復元可能なエクササイズ器具。
【請求項４】
該リクライニング背もたれ部３０の突出端３２には更に、枕キット３５が設けられ、リクライニング背もたれ部３０の中間部３３にある背もたれキット３４及び該枕キット３５は、軟質弾性体で、横向きに配置されている円柱体であり、該枕キット３５は、突出端３２に対して昇降調整が可能に設けられ、位置決め装置３７により枕キット３５の位置が決められることを特徴とする請求項１に記載の自重で復元可能なエクササイズ器具。
【請求項５】
該リクライニング背もたれ部３０の中間部３３にはまた、凸カーブ形補助支持部８０が設けられ、該凸カーブ形補助支持部８０は、前方へ突出している円弧状体であり、且つ背もたれキット３４が該凸カーブ形補助支持部８０の前側に設けられることにより、使用者の腰部の曲線に合わせて、もたれ心地を向上させることを特徴とする請求項１２、４中のいずれか一項に記載の自重で復元可能なエクササイズ器具。
【請求項６】
該リクライニング背もたれ部３０の突出端３２の後側には更に、突き出された緩衝用突当部９０が設けられており、リクライニング背もたれ部３０の突出端３２が最大仰角となったとき、弾力性のある該緩衝用突当部９０が地面に軽く突き当たることにより、衝突を防止する緩衝効果を奏することを特徴とする請求項１または請求項２、または請求項４に記載の自重で復元可能なエクササイズ器具。
【請求項７】
該高さ調整可能な座部２０の両側部には更に、取っ手２３が増設されるが、使用者がエクササイズ器具を使用しているとき、該取っ手２３が両手に把持機能を与えて、使用者の身体を安定させることを特徴とする請求項１に記載の自重で復元可能なエクササイズ器具。
【考案の詳細な説明】
【技術分野】
【０００１】
本考案は、エクササイズ器具に関し、特に、リンク棒構造を利用して、自重で復元可能な機能を果すように設けられる新規なエクササイズ器具の構造設計に関する。
【背景技術】
【０００２】
現在、よく使用されている従来のエクササイズ器具において、腰・腹筋のトレーニングに用いられるもの（以下、腰・腹エクササイズ器具という）の構造には、通常復元力のある弾性ユニット（例えば、スプリング、フレキシブルロープなど）が設けられている。該腰・腹エクササイズ器具のフレーム構造が力を受けるとき、弾性ユニットによりエクササイズ器具に抵抗力が発生するか、或いはエクササイズ器具が自動的最初状態になることができる。
【０００３】
使用者は、前述した従来の腰・腹エクササイズ器具を実際に使用した経験により、従来のエクササイズ器具に以下のような問題点が存在することを見つけた。従来の腰・腹エクササイズ器具に配置されている弾性ユニットにおいて、弾性ユニットの弾力的な強度が異なる体型を有しているすべての使用者に適用するはずはない。該エクササイズ器具を使用するとき、弾力性が大きすぎて身体に痛みや不快感を感じる使用者がいるだけではなく、弾力性が足りないと感じる使用者もいるはずである。弾力性が大きすぎる場合、使用者が仰向け姿勢を座り姿勢に容易に戻すことができるが、次のような問題が発生することができる。即ち、使用者が腹筋を有効に鍛えられないことである。使用者は、腰・背筋を鍛えるため座り姿勢から身体を後ろへ倒し、腹筋を鍛えるため仰向け姿勢を座り姿勢に戻す。しかし、従来の構造における弾性・復元力構造は、鍛える方法にマイナス影響を与える。
【０００４】
一方、該復元力のある弾性ユニットを長期間使用するとき、弾性疲労により弾性ユニットの弾力が弱まってしまうので、腰・腹エクササイズ器具の耐久性にもマイナスな影響を与える問題点、欠点もある。
【０００５】
上述した従来のエクササイズ器具に存在する問題点について、より理想的で実用性のある新規な構造を開発するのを使用者が望んでいるので、関連業者がその研究開発に取り組むことを目標とする。
【０００６】
それに鑑みて、考案者は、関連製品の製造開発と設計に携わる長年の経験を持っており、上述した目標について、詳しく設計、慎重に評価したうえ、ようやく、実用性のある本考案を得られたわけである。
【考案の概要】
【考案が解決しようとする課題】
【０００７】
本考案は、自重で復元可能なエクササイズ器具を提供することを目的とし、解決しようとする課題は、従来の構造を改良して、より理想的で実用性のあるオリジナルなエクササイズ器具を開発することにある。
【課題を解決するための手段】
【０００８】
前述した問題を解決するため、本考案は次のような技術特徴を有している自重で復元可能なエクササイズ器具を提供する。該エクササイズ器具は、載置架部と、高さ調整可能な座部と、リクライニング背もたれ部と、フロント昇降用リンク棒と、２つのリア昇降用リンク棒と、リンク棒とを含む。載置架部は、横方向に延設されたフレーム構造を有している。該高さ調整可能な座部は、上下へ可動するように載置架部に設けられ、前側と後側を備えている。該リクライニング背もたれ部は、高さ調整可能な座部の後側に連結され、連結端と、突出端と、該連結端と突出端との間にある中間部とを備えている。該連結端が高さ調整可能な座部の後側に連結されていることにより、該リクライニング背もたれ部が前後方向へリクライニングするように設けられている。該中間部には、背もたれキットが設けられている。該フロント昇降用リンク棒は、高さ調整可能な座部の前側と載置架部の第一定位置との間に配置されている。該第一定位置は、高さ調整可能な座部の前側の後方と間隔を置いて配置されている。これにより、該フロント昇降用リンク棒が後方に向って斜め下方へ延設するように設けられている。２つのリア昇降用リンク棒は、高さ調整可能な座部の後側と載置架部の第二定位置との間に間隔を置いて配置されている。該第二定位置は、該第一定位置の後方と間隔を置いて配置されている。これにより、該リア昇降用リンク棒が後方に向って斜め下方へ延設するように設けられている。該支持リンク棒は、リクライニング背もたれ部の中間部と載置架部の第三定位置との間に配置されている。該第三定位置は、該第一定位置と第二定位置との間に設けられている。
【０００９】
本考案のエクササイズ器具は、次の通り動作する。即ち、使用者が背部に力を入れて該リクライニング背もたれ部が後方へリクライニングさせるとき、支持リンク棒のリクライニング支持力と、フロント昇降用リンク棒及びリア昇降用リンク棒が同時にリクライニングして上昇させる作用力とにより、高さ調整可能な座部が上昇し、且つリクライニング背もたれ部と高さ調整可能な座部との間の挟角が１８０度以上になる。即ち、リクライニング背もたれ部が後ろに倒れる状態になる。使用者が姿勢を座り姿勢に戻すとき、該高さ調整可能な座部の自重と、フロント昇降用リンク棒及びリア昇降用リンク棒が同時に下向きへバックスイングする作用力とにより、自重による復元力が生じる。該自重で復元可能なエクササイズ器具は、部品の自重と、リンク連動構造が元に位置に戻るとき及び動作するときの抵抗力とを利用することができるので、復元力のある弾性ユニットを設置しなくてもよく、且つ本考案による抵抗力と復元力を様々な使用者に合わせて調整することができる。また、弾性ユニットを設置する必要がないので、弾性ユニットの弾性力がなくなる問題を避けることができ、本考案の耐久性を向上させることができる。即ち、本考案は、腰・腹筋の鍛え効果を向上させるともに、実用性・進歩性を有している
【図面の簡単な説明】
【００１０】
【図１】本考案の好適な実施例を示す組立立体図である。
【図２】本考案の好適な実施例の局所部品を示す分解立体図である。
【図３】本考案の好適な実施例の主要部品を示す分解立体図である。
【図４】本考案の好適な実施例を示す平面側面図である。
【図５】本考案の好適な実施例の動作状態を示す図である。
【図６】本考案を使っている使用者の座り姿勢を示す図である。
【図７】本考案を使っている使用者が横になった状態を示す図である。
【図８】本考案のリクライニング背もたれ部の傾斜角が調整された状態を示す図である。
【図９】本考案のリクライニング背もたれ部が横方向に調整された状態を示す図である。
【図１０】本考案の他の実施例に係る局所構造形態を示す図である。
【考案を実施するための形態】
【００１１】
図１〜図４に示すのは、本考案の自重で復元可能なエクササイズ器具の好適な実施例である。これらの実施例は、本考案を説明することに用いられるもので、本考案の請求の範囲がこれらの構造に制限されるものではない。本考案に係る自重で復元可能なエクササイズ器具は、載置架部１０と、高さ調整可能な座部２０と、リクライニング背もたれ部３０と、フロント昇降用リンク棒４０と、リア昇降用リンク棒５０と、支持リンク棒６０とを含んでいる。
【００１２】
載置架部１０は、横方向に延設されたフレーム構造を有している。該載置架部１０の具体的な実施例として、図２に示す通り、金属管で作られた“工”字形の載置架部を採用することができるが、そのような実施例に限られるものではない。
【００１３】
高さ調整可能な座部２０は、高さ調整可能に載置架部１０の上に設けられている。該高さ調整可能な座部２０は、前側２１と後側２２を備えている。
【００１４】
リクライニング背もたれ部３０は、高さ調整可能な座部２０の後側２２に連結されている。該リクライニング背もたれ部３０は、連結端３１と、突出端３２、該連結端３１と突出端３２との間にある中間部３３を備えている。該連結端３１が高さ調整可能な座部２０の後側２２に連結されていることにより、該リクライニング背もたれ部３０が縦向きで前後にリクライニングするように設けられている。該中間部３３には、背もたれキット３４が設けられている。
【００１５】
フロント昇降用リンク棒４０は、高さ調整可能な座部２０の前側２１と載置架部１０の第一定位置１１との間に配置されている。該第一定位置１１は、高さ調整可能な座部２０の前側２１の後方と所定の間隔を置いて配置されている。これにより、該フロント昇降用リンク棒４０は、後方に向って斜め下方へ延伸するように設けられている（詳しくは、図４に示す通りである）。
【００１６】
２つのリア昇降用リンク棒５０は、高さ調整可能な座部２０の後側２２と載置架部１０の第二定位置１２との間に間隔を置いて配置されている。該第二定位置１２は、該第一定位置１１の後方と間隔を置いて配置されている。これにより、該リア昇降用リンク棒５０が後方に向って斜め下方へ延伸するように設けられている（詳しくは、図４に示す通りである）。
【００１７】
支持リンク棒６０は、リクライニング背もたれ部３０の中間部３３と載置架部１０の第三定位置１３との間に配置されている。該第三定位置１３は、該第一定位置１１と第二定位置１２との間に設けられている。
【００１８】
上述した構造を有するように組合せられる本考案の動作については、次の通り説明する。
【００１９】
図６に示す通り、該自重で復元可能なエクササイズ器具Ａが通常の使用状態になっているとき、該リクライニング背もたれ部３０は、縦向きでやや後ろへ傾斜されており、高さ調整可能な座部２０は、横置き状態で載置架部１０の上に当接されている。使用者がエクササイズ器具を使用するとき、お尻を該高さ調整可能な座部２０の上に載せ、背部をリクライニング背もたれ部３０に凭せ掛ける。それから、腰・背部に力を入れて、リクライニング背もたれ部３０を後方へ倒す。図５に示す通り、リクライニング背もたれ部３０の中間部３３が支持リンク棒６０に連結及び支持され、且つリクライニング背もたれ部３０の連結端３１が高さ調整可能な座部２０の後側２２に連結されているので、リクライニング背もたれ部３０を後方へ倒してリクライニングさせる過程で（矢印Ｌ１）、該連結端３１が支持リンク棒６０の上端部を支点とするテコの原理により、上方へ上昇すると共に後方に移動する。連結端３１に連動されて、高さ調整可能な座部２０が上昇する（矢印Ｌ２）。上昇する過程で、高さ調整可能な座部２０が前後に間隔を置いて配置されたフロント昇降用リンク棒４０と二リア昇降用リンク棒５０とにより、載置架部１０の上に連結及び支持されている（注：四リンク構造）ので、高さ調整可能な座部２０が上昇しているときにも、その横置き状態を保つことができる。高さ調整可能な座部２０が所定の最上位置まで上昇するとき（図５の下図）、該フロント昇降用リンク棒４０及び二リア昇降用リンク棒５０の仰角が増大する（矢印Ｌ３）が、水面に垂直である角度を超えないように、後方に向って斜め下方に延伸される範囲内に回転する。その時、図７に示すように、リクライニング背もたれ部３０と高さ調整可能な座部２０との間の挟角が１８０度以上になり、使用者の姿勢が後ろへ倒れる状態になる。これにより、使用者の腰・背部の筋肉が充分に後ろへ伸ばされるようになる。そのような状態で、使用者が全身の筋肉を最適に伸ばし、リラックスすることができる。それから、使用者が姿勢を座り姿勢に戻すとき、腰・腹部に力を入れて腰・腹部の筋肉を収縮させなければならない（シットアップの腹筋運動のような状態になる）。これにより、腰・腹筋のトレーニングになり、小腹を小さくするエクササイズ効果を奏することができる。また、使用者が上半身を一定の角度まで起こしたとき、該高さ調整可能な座部２０自身の自重と、フロント及びリア昇降用リンク棒４０及び５０が同時に下向きへバックスイングする力とにより、自重による復元力が生じる。このような特徴により、使用者が身を起こすことで、腰・腹筋を鍛えるとともに、力を入れすぎて運動怪我をすることを避けることができる。
【００２０】
該リクライニング背もたれ部３０の中間部３３には更に、上下へスライドさせることにより高さを調整することができるスライドスリーブ７０が取り付けられている。支持リンク棒６０の前端を該スライドスリーブ７０の後側に連結させる。該スライドスリーブ７０の他端には、位置決めボタン７１が形成され、リクライニング背もたれ部３０の中間部３３には、位置決めボタン７１に対応し、且つ上下へ間隔を置いて配置された複数の位置決め穴３６が形成されている。該位置決めボタン７１を所定の位置決め穴３６に組み立てる（注：よく見られるリブと穴の組立て方法を採用することができる）ことにより、スライドスリーブ７０の状態を調整する位置を決めることができる。即ち、該スライドスリーブ７０の位置決めの高さを変えることにより、支持リンク棒６０の支持角を変え、且つリクライニング背もたれ部３０の傾斜角を調整することができる。この段落に掲示されている実施形態の設計により、奏することができる効果は、リクライニング背もたれ部３０の最大仰角を調整することにより、使用時の復元困難度を調整することができることと、偏平な状態になるように折り畳むことができることなどを含む。図８に示すように、図において実線または虚線でリクライニング背もたれ部３０を示した。即ち、該スライドスリーブ７０を異なる高さに位置させるとき、リクライニング背もたれ部３０の仰角が変わることを対照的に示した。該リクライニング背もたれ部３０の仰角が変わるとき、使用者が背部でリクライニング背もたれ部３０を倒す開始位置が変わるので、リクライニング背もたれ部３０を倒す難易度も変わる。図９に示すように、該高さ調整可能な座部２０を横置きに載置架部１０の上に載置させることを前提条件とし、スライドスリーブ７０をリクライニング背もたれ部３０の最上位置まで調整した場合（矢印Ｌ４）、該リクライニング背もたれ部３０が下方へ回転して横置き状態になる。その状態になった自重で復元可能なエクササイズ器具Ａ全体を側面から見ると、体積が偏平状態になっている。これにより、包装、搬送、又は収納するときに需要するスペースが縮小することができるので、製造元や使用者にとっても、大きな長所の一つである。
【００２１】
該フロント昇降用リンク棒４０とリア昇降用リンク棒５０との間は、相互に平行に配置されているか（図４）、或いは、角度差があるように非平行に配置されている（未図示）が、いずれも具体的に実施可能な形態である。
【００２２】
該リクライニング背もたれ部３０の突出端３２には更に、枕キット３５が設けられている。リクライニング背もたれ部３０の中間部３３にある背もたれキット３４及び該枕キット３５は、軟質弾性体で、横向きに配置された円柱体である（例えば、発泡材）。該枕キット３５は、突出端３２に対して昇降可能に（図１０の矢印Ｌ５）設けられ、且つ位置決め装置３７により、枕キット３５の位置が決められる。
【００２３】
図１０に示すように、該リクライニング背もたれ部３０の中間部３３には、凸カーブ形補助支持部８０（ポールフレーム形態でもよい）がさらに設けられている。該凸カーブ形補助支持部８０は、前方へ突出している円弧状体であり、且つ背もたれキット３４が該凸カーブ形補助支持部８０の前側に設けられていることにより、使用者の腰部の曲線に合わせて、もたれ心地を向上させることができる。
【００２４】
該リクライニング背もたれ部３０の突出端３２の後側には更に、突き出された緩衝用突当部９０が設けられている。リクライニング背もたれ部３０の突出端３２が最大仰角となったとき（図７）、弾力性のある該緩衝用突当部９０が地面に軽く突き当たるので、衝突を防止する緩衝効果を奏することができる。具体的に実施例において、該緩衝用突当部９０の材料として、ゴムブロックや硬質発泡材を採用することができるが、それらに限定されるものではない。
【００２５】
図１０に示すように、該高さ調整可能な座部２０の両側部には更に、取っ手２３が増設されている。該取っ手２３は、使用者がエクササイズ器具を使用しているとき、使用者の両手に把持機能を与えて、使用者の身体を安定させる。
【００２６】
本考案によって効果が向上される事実は、次の通りである。本考案に掲示されている「自重で復元可能なエクササイズ器具」は、該載置架部、高さ調整可能な座部、リクライニング背もたれ部、フロント昇降用リンク棒、リア昇降用リンク棒、支持リンク棒などのユニットなどを備える新規な構造形態である。本考案と［背景技術］に記載されている従来の構造とを比較してみると、本考案のエクササイズ器具は次の通り動作する。即ち、使用者が背部に力を受けて該リクライニング背もたれ部が後方へリクライニングさせるとき、支持リンク棒のリクライニング支持力と、フロント昇降用リンク棒及びリア昇降用リンク棒が同時にリクライニングして上昇させる力とにより、高さ調整可能な座部が上昇し、且つリクライニング背もたれ部と高さ調整可能な座部との間の挟角が１８０度以上になる。即ち、リクライニング背もたれ部が後ろに倒れる状態になる。使用者が姿勢を座り姿勢に戻すとき、該高さ調整可能な座部の自重と、フロント昇降用リンク棒及びリア昇降用リンク棒が同時に下向きへバックスイングする作用力とにより、自重による復元力が生じる。該自重で復元可能なエクササイズ器具は、部品の自重と、リンク連動構造が元に位置に戻るとき及び動作するときの抵抗力とを利用することができるので、復元力のある弾性ユニットを設置しなくてもよく、且つ本考案による抵抗力と復元力を様々な使用者に合わせて調整することができる。また、弾性ユニットを設置する必要がないので、弾性ユニットの弾性力がなくなる問題を避けることができ、本考案の耐久性を向上させることができる。即ち、本考案は、腰・腹筋の鍛え効果を向上させるともに、実用性・進歩性を有している。
【００２７】
本考案で次のような新しい効果を奏することができる。
【００２８】
１．該リクライニング背もたれ部の中間部には更に、上下へスライドさせることにより高さを調整することができるスライドスリーブが取り付けられている。このような技術的特徴により、支持リンク棒の支持角を変えることができる。また、支持リンク棒の支持角を変えることにより、更にリクライニング背もたれ部の最大仰角と、エクササイズ器具を使用する時に器具が元位置に戻る困難度を調整し、且つエクササイズ器具を偏平な状態にして最小畳折体積を得る効果を奏することができる。
【００２９】
２．該リクライニング背もたれ部の中間部にはまた、凸カーブ形補助支持部が設けられている。このような技術的特徴により、使用者の腰部の曲線に合わせて、もたれ心地を向上させる効果を奏することができる。
【００３０】
上述した実施例に掲示されたのは、本考案を具体的に説明するために用いられた内容であり、文の中で、専門の用語で説明してきたが、それを以て、本考案の実用新案登録請求の範囲を制限してはならないとし、この技術分野の分かる者は、本考案のコンセプトや考えを理解したうえ、それらの変更や改造を行って、それと同等な効果を得たとしても、それらの変更や改造はすべて、後述の実用新案登録請求の範囲に含まれるものとする。
【符号の説明】
【００３１】
Ａ  自重で復元可能なエクササイズ器具
１０  載置架部
１１  第一定位置
１２  第二定位置
１３  第三定位置
２０  高さ調整可能な座部
２１  前側
２２  後側
２３  取っ手
３０  リクライニング背もたれ部
３１  連結端
３２  突出端
３３  中間部
３４  背もたれキット
３５  枕キット
３６  位置決め穴
３７  位置決め装置
４０  フロント昇降用リンク棒
５０  リア昇降用リンク棒
６０  支持リンク棒
７０  スライドスリーブ
７１  位置決めボタン
８０  凸カーブ形補助支持部
９０  緩衝用突当部
【図１】
0003190182.tif 000003
【図２】
0003190182.tif 000004
【図３】
0003190182.tif 000005
【図４】
0003190182.tif 000006
【図５】
0003190182.tif 000007
【図６】
0003190182.tif 000008
【図７】
0003190182.tif 000009
【図８】
0003190182.tif 000010
【図９】
0003190182.tif 000011
【図１０】
0003190182.tif 000012
【手続補正書】
【提出日】平成26年2月19日(2014.2.19)
【手続補正１】
【補正対象書類名】実用新案登録請求の範囲
【補正対象項目名】全文
【補正方法】変更
【補正の内容】
【実用新案登録請求の範囲】
【請求項１】
載置架部（１０）と、高さ調整可能な座部（２０）と、リクライニング背もたれ部（３０）と、フロント昇降用リンク棒（４０）と、２つのリア昇降用リンク棒（５０）と、リンク棒（６０）とを含む自重で復元可能なエクササイズ器具（Ａ）において、
載置架部（１０）は、横方向に延設されたフレーム構造を有しており、
高さ調整可能な座部（２０）は、上下へ移動可能に載置架部（１０）に設けられ、前側（２１）と後側（２２）を備えており、
リクライニング背もたれ部（３０）は、高さ調整可能な座部（２０）の後側に連結され、且つ連結端（３１）と、突出端（３２）と、該連結端（３１）と突出端（３２）との間にある中間部（３３）とを備え、該連結端（３１）は、高さ調整可能な座部（２０）の後側に連結されていることにより、該リクライニング背もたれ部（３０）が前後方向へリクライニングするように設けられ、該中間部（３３）には、背もたれキット（３４）が設けられており、
フロント昇降用リンク棒（４０）は、高さ調整可能な座部（２０）の前側（２１）と載置架部（１０）の第一定位置（１１）との間に配置され、該第一定位置（１１）が高さ調整可能な座部（２０）の前側（２１）の後方と間隔を置いて配置されていることにより、該フロント昇降用リンク棒（４０）が後方に向って斜め下方へ延設するように設けられており、
２つのリア昇降用リンク棒（５０）は、高さ調整可能な座部（２０）の後側（２２）と載置架部（１０）の第二定位置（１２）との間に間隔を置いて配置され、該第二定位置（１２）が該第一定位置（１１）の後方と間隔を置いて配置されていることにより、該リア昇降用リンク棒（５０）が後方に向って斜め下方へ延設するように設けられており、
支持リンク棒（６０）は、リクライニング背もたれ部（３０）の中間部（３３）と載置架部（１０）の第三定位置（１３）との間に配置され、該第三定位置（１３）は、該第一定位置（１１）と第二定位置（１２）との間に設けられており、
使用者が力を入れてリクライニング背もたれ部（３０）を後方へリクライニングさせている過程において、リンク棒（６０）の上端部を支点とするテコの原理により、該連結端（３１）が上方へ上昇しながら後方へ移動し、連結端（３１）に連動されて、高さ調整可能な座部（２０）も上昇し、
該高さ調整可能な座部（２０）がフロント及びリア昇降用リンク棒（４０、５０）に連結され、且つ載置架部（１０）の上に載置されることにより、四リンク構造のような構造を構成するので、高さ調整可能な座部（２０）が上昇するときの横置き状態を保つことができ、
高さ調整可能な座部（２０）が所定の最上位置まで上昇するとき、フロント、リア昇降用リンク棒（４０、５０）の仰角が増大するが、後方に向って斜め下方へ延設される範囲を超えず、リクライニング背もたれ部（３０）と高さ調整可能な座部（２０）との間の挟角が１８０度以上になり、リクライニング背もたれ部（３０）が後ろへ倒れる状態になり、
使用者が姿勢を座り姿勢に戻すとき、該高さ調整可能な座部（２０）の自重と、フロント、リア昇降用リンク棒（４０、５０）が同時に下向きへバックスイングする作用力とにより、自重による復元力が生じることを特徴とする自重で復元可能なエクササイズ器具（Ａ）。
【請求項２】
該リクライニング背もたれ部（３０）の中間部（３３）には更に、上下へスライドさせて高さを調整することができるスライドスリーブ（７０）が取り付けられ、支持リンク棒（６０）の前端が該スライドスリーブ（７０）の後側に連結され、該スライドスリーブ（７０）の他端には、位置決めボタン（７１）が形成され、リクライニング背もたれ部（３０）の中間部（３３）には、位置決めボタン（７１）に対応し、且つ上下へ間隔を置いて配置された複数の位置決め穴（３６）が形成され、該位置決めボタン（７１）を所定の位置決め穴（３６）に組み立てることにより、スライドスリーブ（７０）位置を決めることができ、該スライドスリーブ（７０）の位置を変えるにより、支持リンク棒（６０）の支持角を変え、且つリクライニング背もたれ部（３０）の傾斜角を調整することができることを特徴とする請求項１に記載の自重で復元可能なエクササイズ器具。
【請求項３】
該フロント昇降用リンク棒（４０）とリア昇降用リンク棒（５０）との間は、相互に平行に配置されているか、或いは、角度差があるように非平行に配置されていることを特徴とする請求項１に記載の自重で復元可能なエクササイズ器具。
【請求項４】
該リクライニング背もたれ部（３０）の突出端（３２）には更に、枕キット（３５）が設けられ、リクライニング背もたれ部（３０）の中間部（３３）にある背もたれキット（３４）及び該枕キット（３５）は、軟質弾性体で、横向きに配置されている円柱体であり、該枕キット（３５）は、突出端（３２）に対して昇降調整が可能に設けられ、位置決め装置（３７）により枕キット（３５）の位置が決められることを特徴とする請求項１に記載の自重で復元可能なエクササイズ器具。
【請求項５】
該リクライニング背もたれ部（３０）の中間部（３３）にはまた、凸カーブ形補助支持部（８０）が設けられ、該凸カーブ形補助支持部（８０）は、前方へ突出している円弧状体であり、且つ背もたれキット（３４）が該凸カーブ形補助支持部（８０）の前側に設けられることにより、使用者の腰部の曲線に合わせて、もたれ心地を向上させることを特徴とする請求項１、２及び４のうちのいずれか一項に記載の自重で復元可能なエクササイズ器具。
【請求項６】
該リクライニング背もたれ部（３０）の突出端（３２）の後側には更に、突き出された緩衝用突当部（９０）が設けられており、リクライニング背もたれ部（３０）の突出端（３２）が最大仰角となったとき、弾力性のある該緩衝用突当部（９０）が地面に軽く突き当たることにより、衝突を防止する緩衝効果を奏することを特徴とする請求項１、２及び４のうちのいずれか一項に記載の自重で復元可能なエクササイズ器具。
【請求項７】
該高さ調整可能な座部（２０）の両側部には更に、取っ手（２３）が増設されるが、使用者がエクササイズ器具を使用しているとき、該取っ手（２３）が両手に把持機能を与えて、使用者の身体を安定させることを特徴とする請求項１に記載の自重で復元可能なエクササイズ器具。